(57)【要約】【課題】光学素子ユニットの移動範囲を規制して光学素子の不要な切り換え操作をなくすこと。【解決手段】各光学素子ユニット２１ａ、２１ｂを保持する保持部２２を案内部２３に対して直線上に移動させて所望の光学素子ユニット２１ａ、２１ｂを光軸Ｌ２上に切り換える場合に、保持部２２上における左右側に摺動可能な各被規制部材３２ａ、３２ｃを設け、かつ案内部２３の上面に保持部２２のＡ方向への移動範囲を規制するための各規制部４５ａ、４５ｃを設けた。【選択図】      図１
2005099786.tif 000002
【特許請求の範囲】
【請求項１】
顕微鏡の光軸上に複数の光学素子のうち１つの前記光学素子を切り換える顕微鏡の光学素子切換装置において、
前記複数の光学素子をそれぞれ組み込んだ複数の光学素子ユニットと、
前記複数の光学素子ユニットを保持する保持部と、
前記保持部を移動可能に設け、前記保持部を移動して前記複数の光学素子ユニットのうちいずれか１つの前記光学素子ユニットを前記顕微鏡の前記光軸に対応した所定位置に配置する案内部と、
前記複数の光学素子ユニットをそれぞれ前記所定位置に配置するときの前記保持部の移動範囲を規制する移動規制手段と、
を具備したことを特徴とする顕微鏡の光学素子切換装置。
【請求項２】
前記保持部は、前記複数の光学素子ユニットを一方向に配列して保持し、
前記案内部は、前記保持部を前記複数の光学素子ユニットの配列方向に移動させる、
ことを特徴とする請求項１又は２記載の顕微鏡の光学素子切換装置。
【請求項３】
前記保持部は、前記複数の光学素子ユニットを円周方向に配列して保持し、
前記案内部は、前記保持部を回転させて前記複数の光学素子ユニットを円周方向に回転移動させる、
ことを特徴とする請求項１又は２記載の顕微鏡の光学素子切換装置。
【請求項４】
顕微鏡の光軸上に複数の光学素子のうち１つの前記光学素子を切り換える顕微鏡の光学素子切換装置において、
前記複数の光学素子をそれぞれ組み込んだ複数の光学素子ユニットと、
前記複数の光学素子ユニットを保持する保持部と、
前記保持部を移動可能に設け、前記保持部を移動して前記複数の光学素子ユニットのうちいずれか１つの前記光学素子ユニットを前記顕微鏡の前記光軸に対応した所定位置に配置する案内部と、
前記複数の光学素子ユニットをそれぞれ前記所定位置に配置するための各位置にそれぞれ前記保持部を位置決めとその解除を可能とする位置決め手段と、
を具備したことを特徴とする顕微鏡の光学素子切換装置。
【請求項５】
前記保持部は、前記複数の光学素子ユニットを一方向に配列して保持し、
前記案内部は、前記保持部を前記複数の光学素子ユニットの配列方向に移動させる、
ことを特徴とする請求項４記載の顕微鏡の光学素子切換装置。
【請求項６】
前記保持部は、前記複数の光学素子ユニットを円周方向に配列して保持し、
前記案内部は、前記保持部を回転させて前記複数の光学素子ユニットを円周方向に回転移動させる、
ことを特徴とする請求項４記載の顕微鏡の光学素子切換装置。
【請求項７】
前記移動規制手段は、前記案内部に設けられた規制部材と、前記保持部に設けられた被規制部材とを有し、
前記規制部材と前記被規制部材とは、相対的に位置を変位可能であり、かつ相対的な位置変位による前記規制部材と前記被規制部材との接触により前記保持部の移動範囲を規制する、
ことを特徴とする請求項１、２又は３のうちいずれか１項記載の顕微鏡の光学素子切換装置。
【請求項８】
前記被規制部材は、前記保持部に対して前記規制部材と接触する位置と非接触な位置とに移動可能であることを特徴とする請求項７記載の顕微鏡の光学素子切換装置。
【請求項９】
前記被規制部材は、前記保持部に設けられた溝内に摺動可能に設けられ、前記規制部材と接触する位置又は非接触な位置に固定されることを特徴とする請求項７記載の顕微鏡の光学素子切換装置。
【請求項１０】
前記被規制部材は、前記保持部に設けられた開口部内に回転可能に設けられたことを特徴とする請求項７記載の顕微鏡の光学素子切換装置。
【請求項１１】
前記規制部材は、前記案内部に対して設ける位置を規制される前記保持部の移動範囲に応じて変更可能であることを特徴とする請求項７記載の顕微鏡の光学素子切換装置。
【請求項１２】
前記規制部材は、前記案内部に対して回転可能に設けられ、前記被規制部材と非接触な位置に回転移動することを特徴とする請求項７記載の顕微鏡の光学素子切換装置。
【請求項１３】
前記位置決め手段は、前記案内部に設けられた位置決め案内部と、前記保持部に設けられた被位置決め部とを有し、
前記位置決め案内部と前記被位置決め部とは、相対的に位置を変位可能であり、当該相対的な位置変位による前記位置決め案内部と前記被位置決め部との係止により前記保持部に取り付けられた前記複数の光学素子ユニットをそれぞれ前記所定位置に配置すべき前記各位置に位置決めする、
ことを特徴とする請求項４、５又は６のうちいずれか１項記載の顕微鏡の光学素子切換装置。
【請求項１４】
前記被位置決め部は、前記保持部に対して前記位置決め案内部と係止する位置と係止しない位置とに移動可能であることを特徴とする請求項１３記載の顕微鏡の光学素子切換装置。
【請求項１５】
前記被位置決め部は、前記保持部に設けられた溝内に摺動可能に設けられ、前記位置決め案内部と係止する位置又は係止しない位置に固定されることを特徴とする請求項１３記載の顕微鏡の光学素子切換装置。
【請求項１６】
前記被位置決め部は、前記保持部に設けられた開口部内に回転可能に設けられたことを特徴とする請求項１３記載の顕微鏡の光学素子切換装置。
【請求項１７】
前記位置決め案内部は、前記案内部における前記所定位置に対応する１箇所に設けられ、
前記被位置決め部は、前記保持部における前記複数の光学素子ユニットに対応する各箇所に複数設けられ、前記複数の光学素子ユニットのうち前記所定位置に位置決めしようとする少なくとも１つの前記光学素子ユニットに対応する少なくとも１つの前記被位置決め部を前記位置決め案内部と係止する位置に移動する、
ことを特徴とする請求項１３記載の顕微鏡の光学素子切換装置。
【請求項１８】
前記位置決め案内部と前記被位置決め部とは、前記保持部が前記案内部に対して移動するときの第１の移動方向と当該第１の移動方向に対して反対の第２の移動方向との両移動方向から係止可能である、
ことを特徴とする請求項１３記載の顕微鏡の光学素子切換装置。
【請求項１９】
前記位置決め案内部は、凹形状を有する案内部材を有し、
前記被位置決め部は、凸形状に形成された位置決め部材を有する、
ことを特徴とする請求項１３記載の顕微鏡の光学素子切換装置。
【請求項２０】
前記案内部材は、前記凹形状に形成された案内凹部と、
前記案内凹部の両側に前記凹形状の開口を広げる方向に延出して形成され、前記被位置決め部を前記案内凹部内に導く各案内板部と、
を有することを特徴とする請求項１９記載の顕微鏡の光学素子切換装置。
【請求項２１】
前記位置決め案内部は、凸形状を有する案内部材を有し、
前記被位置決め部は、凹形状に形成された位置決め部材を有する、
ことを特徴とする請求項１３記載の顕微鏡の光学素子切換装置。
【請求項２２】
前記案内部材は、弾性部材により形成されることを特徴とする請求項１９又は２１記載の顕微鏡の光学素子切換装置。
【発明の詳細な説明】
【技術分野】
【０００１】
本発明は、顕微鏡で例えば明視野や暗視野などの各種観察を行うときに、顕微鏡の光軸上に各種光学素子を切り換えて配置する顕微鏡の光学素子切換装置に関する。
【背景技術】
【０００２】
顕微鏡で例えば明視野や暗視野などの各種観察を行うときには、これら観察に応じて顕微鏡の光軸上に必要な光学素子を配置する必要がある。例えば顕微鏡の落射投光装置では、光源から発せられた照明光を対物レンズに導いて標本に照射し、標本からの観察光を再び対物レンズを通して接眼レンズに導くために光学素子を対物レンズと接眼レンズとの間に設ける。
【０００３】
この光学素子の種類を変えることによって明視野、暗視野、微分干渉等の各種観察が可能になる。このような光学素子は、予め落射投光装置内に装備されていたり、又は顕微鏡本体に対して着脱交換可能な光学素子ユニット（キューブ）として用意されている。
【０００４】
例えば特許文献１には、複数の光学素子ユニットを直列に並べて備える保持部を有し、この保持部を落射投光装置側に固定されたガイド部に沿って移動させることにより複数の光学素子ユニットを移動させて、いずれか１つの光学素子ユニットを顕微鏡の光軸上に配置することが記載されている。なお、複数の光学素子ユニットは、ユーザにより交換可能なように、それぞれ保持部に対して着脱可能に設けられている。
【特許文献１】特許第２９４５１１４号公報
【発明の開示】
【発明が解決しようとする課題】
【０００５】
上記特許文献１において光学素子の切り換えは、複数の光学素子ユニットを保持部に装着可能な最大個数分だけ可能であり、かつその切り換え数は装着可能な最大個数分に固定される。このため、保持部には、光学素子ユニットを装着した部分と装着しない部分とが生じることがある。
【０００６】
このように光学素子ユニットを装着した部分と装着しない部分とがあっても、保持部をガイド部に沿って移動させることにより所望の光学素子ユニットを顕微鏡の光軸上に切り換えることが可能である反面、光学素子ユニットを装着しない部分も顕微鏡の光軸上に切り換えることが可能である。
【０００７】
このため、光学素子ユニットの切り換えで、不要な切り換え操作を引き起こしてしまう。例えば、工場などにおける検査工程において、光学素子ユニットの不要な切り換え操作は、検査者の作業効率を低下させる。
【課題を解決するための手段】
【０００８】
本発明は、顕微鏡の光軸上に複数の光学素子のうち１つの光学素子を切り換える顕微鏡の光学素子切換装置において、複数の光学素子をそれぞれ組み込んだ複数の光学素子ユニットと、複数の光学素子ユニットを保持する保持部と、保持部を移動可能に設け、保持部を移動して複数の光学素子ユニットのうちいずれか１つの光学素子ユニットを顕微鏡の光軸に対応した所定位置に配置する案内部と、複数の光学素子ユニットをそれぞれ所定位置に配置するときの保持部の移動範囲を規制する移動規制手段とを具備した顕微鏡の光学素子切換装置である。
【０００９】
本発明は、顕微鏡の光軸上に複数の光学素子のうち１つの光学素子を切り換える顕微鏡の光学素子切換装置において、複数の光学素子をそれぞれ組み込んだ複数の光学素子ユニットと、複数の光学素子ユニットを保持する保持部と、保持部を移動可能に設け、保持部を移動して複数の光学素子ユニットのうちいずれか１つの光学素子ユニットを顕微鏡の光軸に対応した所定位置に配置する案内部と、複数の光学素子ユニットをそれぞれ所定位置に配置するための各位置にそれぞれ保持部を位置決め可能とする位置決め手段とを具備した顕微鏡の光学素子切換装置である。
【００１０】
本発明の顕微鏡の光学素子切換装置における保持部は、複数の光学素子ユニットを一方向に配列して保持し、案内部は、保持部を複数の光学素子ユニットの配列方向に移動させる。
【００１１】
本発明の顕微鏡の光学素子切換装置における保持部は、複数の光学素子ユニットを円周方向に配列して保持し、案内部は、保持部を回転させて複数の光学素子ユニットを円周方向に回転移動させる。
【００１２】
本発明の顕微鏡の光学素子切換装置における移動規制手段は、案内部に設けられた少なくとも１つの規制部材と、保持部に設けられた少なくとも１つの被規制部材とを有し、規制部材と被規制部材とは、相対的に位置を変位可能であり、かつ相対的な位置変位による規制部材と被規制部材との接触により保持部の移動範囲を規制する。
【００１３】
本発明の顕微鏡の光学素子切換装置における被規制部材は、保持部に対して規制部材と接触する位置と非接触な位置とに移動可能である。
【００１４】
本発明の顕微鏡の光学素子切換装置における被規制部材は、保持部に設けられた溝内に摺動可能に設けられ、規制部材と接触する位置又は非接触な位置に固定される。
【００１５】
本発明の顕微鏡の光学素子切換装置における被規制部材は、保持部における複数の光学素子ユニットを保持すべき複数の位置にそれぞれ対応して複数設けられ、光学素子ユニットを保持した位置に対応する被規制部材は、規制部材と非接触な位置に固定され、光学素子ユニットを保持しない位置に対応する被規制部材は、規制部材と接触する位置に固定される。
【００１６】
本発明の顕微鏡の光学素子切換装置における被規制部材は、保持部に設けられた開口部内に回転可能に設けられる。
【００１７】
本発明の顕微鏡の光学素子切換装置における被規制部材は、保持部に設けられた開口部内に回転可能に設けられて、弾性部材の付勢力により規制部材と接触する位置にあり、光学素子ユニットを保持部に取り付けるのに連動して規制部材と非接触な位置に回転移動する。
【００１８】
本発明の顕微鏡の光学素子切換装置における規制部材は、案内部に対して設ける位置を規制される保持部の移動範囲に応じて変更可能である。
【００１９】
本発明の顕微鏡の光学素子切換装置における規制部材は、案内部に対して回転可能に設けられ、被規制部材と非接触な位置に回転移動する。
【００２０】
本発明の顕微鏡の光学素子切換装置における位置決め手段は、案内部に設けられた位置決め案内部と、保持部に設けられた被位置決め部とを有し、位置決め案内部と被位置決め部とは、相対的に位置を変位可能であり、当該相対的な位置変位による位置決め案内部と被位置決め部との係止により保持部を複数の光学素子ユニットをそれぞれ所定位置に配置すべき各位置に位置決めする。
【００２１】
本発明の顕微鏡の光学素子切換装置における被位置決め部は、保持部に対して位置決め案内部と係止する位置と係止しない位置とに移動可能である。
【００２２】
本発明の顕微鏡の光学素子切換装置における被位置決め部は、保持部に設けられた溝内に摺動可能に設けられ、位置決め案内部と係止する位置又は係止しない位置に固定される。
【００２３】
本発明の顕微鏡の光学素子切換装置における被位置決め部は、保持部に設けられた開口部内に回転可能に設けられている。
【００２４】
本発明の顕微鏡の光学素子切換装置における位置決め案内部は、案内部における所定位置に対応する１箇所に設けられ、被位置決め部は、保持部における複数の光学素子ユニットに対応する各箇所に複数設けられ、複数の光学素子ユニットのうち所定位置に位置決めしようとする少なくとも１つの光学素子ユニットに対応する少なくとも１つの被位置決め部を位置決め案内部と係止する位置に移動する。
【００２５】
本発明の顕微鏡の光学素子切換装置における位置決め案内部と被位置決め部とは、保持部が案内部に対して移動するときの第１の移動方向と当該第１の移動方向に対して反対の第２の移動方向との両移動方向から係止可能である。
【００２６】
本発明の顕微鏡の光学素子切換装置における位置決め案内部は、凹形状を有する案内部材を有し、被位置決め部は、凸形状に形成された位置決め部材を有する。
【００２７】
本発明の顕微鏡の光学素子切換装置における案内部材は、凹形状に形成された案内凹部と、案内凹部の両側に凹形状の開口を広げる方向に延出して形成され、被位置決め部を案内凹部内に導く各案内板部とを有する。
【００２８】
本発明の顕微鏡の光学素子切換装置における位置決め案内部は、凸形状を有する案内部材を有し、被位置決め部は、凹形状に形成された位置決め部材を有する。
【００２９】
本発明の顕微鏡の光学素子切換装置における案内部材は、弾性部材により形成される。
【発明の効果】
【００３０】
本発明は、光学素子ユニットの移動範囲を規制して光学素子の不要な切り換え操作をなくすことが可能な顕微鏡の光学素子切換装置を提供できる。
【００３１】
本発明は、迅速に光学素子ユニットの光軸上への位置決めを行って不要な切り換え操作をなくすことが可能な顕微鏡の光学素子切換装置を提供できる。
【発明を実施するための最良の形態】
【００３２】
以下、本発明の第１の実施の形態について図面を参照して説明する。
【００３３】
図１は顕微鏡の光学素子切換装置を適用した顕微鏡本体の構成図である。顕微鏡本体のアーム部１には、落射投光装置２が取り付けられている。この落射投光装置２には、照明用の光源３が取り付けられている。この光源３から放射された照明光４は、光軸Ｌ１に沿って伝播し、落射投光装置２内に配置された光学部材５を通過して光学素子切換装置６に入射する。
【００３４】
光学素子切換装置６に入射した照明光４は、当該光学素子切換装置６内に設けられた光学素子ユニット７に組み込まれた光学素子８、例えばハーフミラーにより下方に向きを変えられて光軸Ｌ２に沿って伝播する。そして、照明光４は、レボルバ９、対物レンズ１０を通過してステージ１１上の標本１２に照射される。
【００３５】
標本１２からの観察光１３は、対物レンズ１０、レボルバ９を通過して再び光学素子切換装置６内に入射し、さらにハーフミラー等の光学素子８を透過して鏡筒部１４に導かれて結像する。この結像した像は、接眼レンズ１５により拡大され、観察者によって観察される。
【００３６】
図２乃至図４は光学素子切換装置６の構成図であって、図２は側面断面図、図３は上面図、図４は正面図である。光学素子切換装置６は、落射投光装置２内に取り付けられている。この光学素子切換装置６は、例えばハーフミラー等の複数種類の各光学素子８をそれぞれ組み込んだ複数（例えば２個）の光学素子ユニット２１ａ、２１ｂと、これら光学素子ユニット２１ａ、２１ｂを保持する保持部２２と、この保持部２２をＡ方向の直線上の所定位置まで移動可能に設けた案内部２３とを有する。
【００３７】
光学素子ユニット２１ａは、例えば明視野ユニットであり、図２乃至図４に示す状態ではハーフミラー等の光学素子８を２つの光軸Ｌ１、Ｌ２上の交点上に配置している。この光学素子ユニット２１ａの外枠２４ａには、スライドオスアリ形状の取付け部２５が形成され、かつこの取付け部２５に近接して固定用の取付け孔２６が設けられている。
【００３８】
光学素子ユニット２１ｂは、例えば暗視野ユニットであり、光軸Ｌ１（Ｌ２）から離れた位置に位置決めされている。この光学素子ユニット２１ｂの外枠２４ｂも、光学素子ユニット２１ａと同様に、スライドオスアリ形状の取付け部２７が形成され、かつこの取付け部２７に近接して固定用の取付け孔２８が設けられている。
【００３９】
保持部２２は、各光学素子ユニット２１ａ、２１ｂを直線上に取り付けるもので、これら光学素子ユニット２１ａ、２１ｂを取り付けるための各スライドメスアリ（取付け部）２９ａ〜２９ｃが３箇所に設けられている。
【００４０】
これらスライドメスアリ２９ａ〜２９ｃの下部には、それぞれ各光学素子ユニット２１ａ、２１ｂを固定位置に位置決めするための各位置決め部３０ａ〜３０ｃが形成されている。これら位置決め部３０ａ〜３０ｃには、それぞれネジ穴３１ａ〜３１ｃが設けられている。
【００４１】
各スライドメスアリ２９ａ〜２９ｃのうち各スライドメスアリ２９ｂ、２９ｃには、それぞれ各光学素子ユニット２１ａ、２１ｂが嵌め込まれ、各位置決め部３０ａ、３０ｂにより高さ方向の位置が固定されている。これら光学素子ユニット２１ａ、２１ｂは、各ビス３１ａ、３１ｂを各取付け孔２６、２８を通して各ネジ穴３１ａ、３１ｂに捩じ込んで固定されている。
【００４２】
保持部２２上における左右の各スライドメスアリ２９ａ、２９ｃに対応する部分には、それぞれ角形状の各被規制部材３２ａ、３２ｃが設けられている。これら被規制部材３２ａ、３２ｃは、保持部２２の上面に形成された各溝３３ａ、３３ｃに対して摺動可能に嵌め込められ、かつ各ビス３４ａ、３４ｃにより固定されている。各被規制部材３２ａ、３２ｃに設けられた各ビス穴３５ａ、３５ｃは、長溝に形成され、各被規制部材３２ａ、３２ｃの各位置を各スライドメスアリ２９ａ、２９ｃ側と案内部２３側との間に移動可能になっている。
【００４３】
保持部２２の側面には、各光学素子ユニット２１ａ、２１ｂをＡ方向に移動させて切り換え操作を行うための操作つまみ３６が取り付けられている。この保持部２２の案内部２３側の端面には、図２に示すようにスライドオスアリ４０が設けられている。このスライドオスアリ４０は、案内部２３に形成されたスライドメスアリ４１に嵌め込まれている。これにより、保持部２２は、案内部２３に対してＡ方向に直線方向に移動可能になっている。
【００４４】
スライドオスアリ４０の底面部には、位置決め用の各溝４２ａ〜４２ｃが３箇所設けられている。これら溝４２ａ〜４２ｃのうち例えば溝４２ｂには、案内部２３に設けられたボールプランジャ４３が嵌め込まれ、保持部２２を所定位置に位置決めする。
【００４５】
案内部２３におけるスライドメスアリ４１の両端側には、それぞれ各突起部４４ａ、４４ｂが設けられている。これら突起部４４ａ、４４ｂは、保持部２２のＡ方向への最大移動範囲を規制する。
【００４６】
案内部２３の上面には、保持部２２のＡ方向への移動範囲を規制するための凸形状の各規制部４５ａ、４５ｃが設けられている。これら規制部４５ａ、４５ｃは、各被規制部材３２ａ、３２ｃに対して接触することにより、保持部２２のＡ方向への移動範囲を規制する。
【００４７】
例えば、各被規制部材３２ａ、３２ｃを各溝３３ａ、３３ｃに沿って案内部２３側に移動して固定すると、これら被規制部材３２ａ、３２ｃの各側面４６ａ、４６ｃが規制部４５ａ、４５ｃの各側面４７ａ、４７ｃに接触して、保持部２２の移動を規制する。一方、各被規制部材３２ａ、３２ｃを各溝３３ａ、３３ｃに沿って各スライドメスアリ２９ａ、２９ｃ側に移動して固定すると、保持部２２を移動させても各被規制部材３２ａ、３２ｃと各規制部４５ａ、４５ｃとは接触せず、保持部２２の移動の規制を解除する。
【００４８】
次に、上記の如く構成された光学素子切換装置の動作について説明する。
【００４９】
図１乃至図３に示す光学素子切換装置では、保持部２２の中央のスライドメスアリ２９ｂに明視野用の光学素子ユニット２１ａが装着され、右側のスライドメスアリ２９ｃに暗視野用の光学素子ユニット２１ｂが装着され、このうち明視野用の光学素子ユニット２１ａが光軸Ｌ２上に配置されている。保持部２２は、最大３個の光学素子ユニットを装着可能であるが、ここでは左側のスライドメスアリ２９ａには、光学素子ユニットを装着していない。
【００５０】
このように中央のスライドメスアリ２９ｂに例えば明視野用の光学素子ユニット２１ａを常に装着し、必要に応じて左右のうちいずれか一方又は両方に別の例えば暗視野用の光学素子ユニット２１ｃを装着して使用するのが、操作性の観点から考える通常の使用状態である。
【００５１】
従って、中央のスライドメスアリ２９ｂには、常に何らかの光学素子ユニット、例えば明視野用の光学素子ユニット２１ａが装着されるものであり、光学素子ユニットが装着されない状態は想定しない。これにより、保持部２２の中央のスライドメスアリ２９ｂに対応する部分の上面には、被規制部材を設けていない。
【００５２】
左側の被規制部材３２ａは、端面４８ａを規制部４５ａの端面４９ａに対して距離ｄ１だけスライドメスアリ２９ａ側に移動して固定されている。この左側の被規制部材３２ａの位置であれば、保持部２２が移動すると、左側の被規制部材３２ａと規制部４５ａとは、互いに各側面４６ａ、４７ａで接触する。
【００５３】
一方、右側の被規制部材３２ｃは、端面４８ｃを規制部４５ｃの端面４９ｃに対して距離ｄ２だけ案内部２３側に移動して固定されている。この右側の被規制部材３２ａの位置であれば、保持部２２が移動すると、左側の被規制部材３２ｃと規制部４５ｃとは、互いに接触しない状態にある。
【００５４】
このような状態で操作つまみ３６をＡ方向の左側に移動させると、中央にある光学素子ユニット２１ａが光軸Ｌ１上から外れ、右側の光学素子ユニット２１ｂが光軸Ｌ１上に配置されて、各光学素子ユニット２１ａ、２１ｂの切り換えが行なわれる。このときの切り換え位置は、溝４２ｂ、４２ｃに対するボールブランジャ４３の嵌め込みにより正確に決定される。
【００５５】
さらに、操作つまみ３６をＡ方向の左側に移動させると、案内部２３の一端側に設けられた突起部４４ａに保持部２２の端面が接触することで、操作つまみ３６の操作による案内部２３の左側への移動が規制される。
【００５６】
次に、操作つまみ３６をＡ方向の右側に移動させると、右側の光学素子ユニット２１ｂが光軸Ｌ２上から外れ、再び中央の光学素子ユニット２１ａが光軸Ｌ２上に配置されて、元の状態に戻る。
【００５７】
さらに、操作つまみ３６をＡ方向の右側に移動させると、左側の被規制部材３２ａと規制部４５ａとが互いに各側面４６ａ、４７ａで接触する。これにより、案内部２３は、これ以上Ａ方向の右側に移動できない状態になる。この結果、光学素子ユニットの装着されていないスライドメスアリ２９ａが光軸Ｌ２に対応する位置に配置することができず、光学素子ユニットの切り換え動作を規制する。
【００５８】
これに対して、中央のスライドメスアリ２９ｂに明視野用の光学素子ユニット２１ａを装着し、左側のスライドメスアリ２９ａに暗視野用の光学素子ユニット２１ｂを装着し、右側のスライドメスアリ２９ａに光学素子ユニットを装着しない場合について説明する。
【００５９】
右側の被規制部材３２ｃは、端面４８ｃを規制部４５ｃの端面４９ｃに対して案内部２３側に移動して固定し、保持部２２の移動により右側の被規制部材３２ｃと規制部４５ｃとが互いに各側面４６ｃ、４７ｃで接触する。
【００６０】
一方、左側の被規制部材３２ａは、端面４８ａを規制部４５ａの端面４９ａに対してスライドメスアリ２９ａ側に移動して固定し、保持部２２の移動により左側の被規制部材３２ａと規制部４５ａとが互いに接触しない。
【００６１】
このような状態で操作つまみ３６をＡ方向の左側又は右側に移動させると、中央にある光学素子ユニット２１ａ又は左側の光学素子ユニット２１ｂが光軸Ｌ２上に配置されて、各光学素子ユニット２１ａ、２１ｂの切り換えが行なわれる。このとき保持部２２は、右側の被規制部材３２ｃと規制部４５ｃとが互いに各側面４６ｃ、４７ｃで接触により、操作つまみ３６をＡ方向の左側に移動させても、これ以上Ａ方向の左側に移動できない状態になり、移動範囲が規制される。
【００６２】
又、全てのスライドメスアリ２９ａ〜２９ｃに各光学素子ユニット２１ａ、２１ｂ等を装着した場合は、右側及び左側の各被規制部材３２ａ、３２ｃは、それぞれ各端面４８ａ、４８ｃを各規制部４５ａ、４５ｃの各端面４９ａ、４９ｃに対して各スライドメスアリ２９ａ、２９ｃ側に移動して固定し、保持部２２の移動により右側及び左側の被規制部材３２ａ、３２ｃと各規制部４５ａ、４５ｃとを互いに接触しない状態にする。
【００６３】
このように上記第１の実施の形態によれば、各光学素子ユニット２１ａ、２１ｂを保持する保持部２２を案内部２３に対して直線上に移動させて所望の光学素子ユニット２１ａ、２１ｂを光軸Ｌ２上に切り換える場合に、保持部２２上における左右側に摺動可能な各被規制部材３２ａ、３２ｃを設け、かつ案内部２３の上面に保持部２２のＡ方向への移動範囲を規制するための各規制部４５ａ、４５ｃを設けた。
【００６４】
これにより、各光学素子ユニット２１ａ、２１ｂの装着位置に応じて各被規制部材３２ａ、３２ｃを摺動させて各規制部４５ａ、４５ｃと接触させるか、又は接触させない位置に固定させることにより、保持部２２のスライドメスアリ２９ａ〜２９ｃに未装着がある場合の保持部２２の移動範囲を規制できる。
【００６５】
この結果、操作つまみ３６を移動して各光学素子ユニット２１ａ、２１ｂを未装着な状態の部分を光軸Ｌ２上に配置するような不要な切り換えを防止でき、各光学素子ユニット２１ａ、２１ｂの切り換えの操作性を向上できる。
【００６６】
又、各光学素子ユニット２１ａ、２１ｂが装着状態であっても、必要に応じて各被規制部材３２ａ、３２ｃのいずれか一方又は両方の位置を変えることにより、各光学素子ユニット２１ａ、２１ｂの切り換え動作時の保持部２２の移動範囲を規制できる。
【００６７】
例えば、中央と左側との各スライドメスアリ２９ｂ、２９ａに各光学素子ユニット２１ｂを装着して右側のスライドメスアリ２９ａに光学素子ユニットを装着しない場合、全てのスライドメスアリ２９ａ〜２９ｃに各光学素子ユニットを装着した場合などに応じて保持部２２の移動範囲を規制できる。これにより、各被規制部材３２ａ、３２ｃと各規制部４５ａ、４５ｃとによる保持部２２の移動範囲の規制及びその解除を検査者の要求に応じて切り換えることができ、検査者の要望に幅広く対応できる。
【００６８】
なお、上記第１の実施の形態は、次のように変形してもよい。
【００６９】
例えば、各被規制部材３２ａ、３２ｃは、角形状で、それぞれ各溝３３ａ、３３ｃに沿って水平方向に摺動させているが、これに限らず、丸形状で回転軸を偏心させ、回転軸によって水平方向に変位させてもよい。
【００７０】
又、各光学素子ユニット２１ａ、２１ｂの着脱機構は、例えばこれら光学素子ユニット２１ａ、２１ｂを水平方向から取り付けるものでもよい。
【００７１】
保持部２２を直線的に移動させる機構は、スライドアリの構造に限らず、例えばボールガイドによる方式等を用いてもよい。
【００７２】
このように各光学素子ユニット２１ａ、２１ｂの切り換えを規制する手段は、ある一つの特定した着脱方式、直線移動機構などに限定されるものでない。
【００７３】
次に、本発明の第２の実施の形態について図面を参照して説明する。なお、図１乃至図４と同一部分には同一符号を付してその詳しい説明は省略する。
【００７４】
図５及び図６は顕微鏡の光学素子切換装置の構成図であって、図５は側面断面図、図６は上面図である。この光学素子切換装置５０は、上記第１の実施の形態と同様に、落射投光装置２内に取り付けられている。
【００７５】
光学素子切換装置５０は、例えばハーフミラー等の複数種類の各光学素子８をそれぞれ組み込んだ複数（例えば２個）の光学素子ユニット２１ａ、２１ｂと、これら光学素子ユニット２１ａ、２１ｂを保持する保持部５１と、この保持部５１をＢ方向（時計方向及び反時計方向）に回転させて所定位置まで移動可能に設けた案内部となる軸５２とを有する。なお、光学素子切換装置５０は、保持部５１と案内部となる軸５２とを除き、他の部分は上記第１の実施の形態と同一構成である。
【００７６】
保持部５１の外周面には、例えば軸５２を中心に１２０度毎に均等に３箇所に各スライドメスアリ５３ａ〜５３ｃが設けられている。これらスライドメスアリ５３ａ〜５３ｃのうち各スライドメスアリ５３ａ、５３ｂにそれぞれ光学素子ユニット２１ａ、２１ｂが取り付けられている。
【００７７】
保持部５１の上面には、各スライドメスアリ５３ａ〜５３ｃに対応する各部分にそれぞれ各溝５４ａ〜５４ｃが半径方向に設けられている。これら溝５４ａ〜５４ｃには、それぞれ各被規制部材５５ａ〜５５ｃが各溝５４ａ〜５４ｃ内に沿って摺動可能に嵌め込まれ、かつ各ビス５６ａ〜５６ｃにより固定される。
【００７８】
保持部５１の中心部には、摺動穴５７が設けられている。この保持部５１は、摺動穴５７内に軸５２を嵌め込んで軸支され、回転可能に設けられている。そして、軸５２の上部には、支持部材５８が各ビス５９により固定されている。
【００７９】
支持部材５８の上面には、保持部５１のＢ方向への移動範囲を規制するための凸形状の各規制部６０ａ、６０ｃが各スライドメスアリ５３ｂ、５３ｃに対応した部分に設けられている。これら規制部６０ｂ、６０ｃは、各被規制部材５５ａ〜５５ｃのいずれかに接触することにより、保持部５１のＢ方向（時計方向及び反時計方向）への回転移動範囲を規制する。
【００８０】
例えば、各被規制部材５５ａ、５５ｂは、各溝５４ａ、５４ｂ内に沿って各スライドメスアリ５３ｂ、５３ｂ側に移動して固定されている。一方、被規制部材５５ｃは、溝５４ｃ内に沿って軸５２側に移動して固定されている。
【００８１】
次に、上記の如く構成された光学素子切換装置の動作について説明する。
【００８２】
図５及び図６に示す光学素子切換装置５０では、例えばスライドメスアリ５３ａに明視野用の光学素子ユニット２１ａが装着され、隣接するスライドメスアリ５３ｂに暗視野用の光学素子ユニット２１ｂが装着され、このうち明視野用の光学素子ユニット２１ａが光軸Ｌ２上に配置されている。ここでは残りのスライドメスアリ５３ｃに光学素子ユニットが装着されていない。
【００８３】
このように光軸Ｌ２上のスライドメスアリ５３ａに例えば明視野用の光学素子ユニット２１ａを常に装着し、必要に応じて左右に隣接する例えばスライドメスアリ５３ｂに暗視野用の光学素子ユニット２１ｃを装着して使用するのが、操作性の観点から考える通常の使用状態である。
【００８４】
光学素子ユニット２１ａを装着した部分に対する被規制部材５５ａは、後述する規制部６０ｂ（６０ｃ）の側面６４ｂ（６２ｃ）に対して端面６１ａとの間が距離ｄ３となるようにしつつ、スライドメスアリ５３ａ側に移動して固定されている。
【００８５】
又、光学素子ユニット２１ｂを装着した部分に対応する被規制部材５５ｂも、規制部６０ｂ（６０ｃ）の側面６４ｂ（６２ｃ）に対して端面６１ｂとの間が距離ｄ３となるようにスライドメスアリ５３ｂ側に移動して固定されている。
【００８６】
これら被規制部材５５ａ、５５ｂの位置であれば、保持部５１がＢ方向（時計方向、反時計方向）に回転移動すると、各被規制部材５５ａ、５５ｂと規制部６０ｂ、６０ｃの側面６４ｂ、６４ｃとは、互いに接触しない。
【００８７】
一方、光学素子ユニットを装着しない部分に対応する被規制部材５５ｃは、端面６３を規制部６０ｃの端部６２ｃに対して距離ｄ４だけ軸５２側に移動して固定されている。この被規制部材５５ｃの位置であれば、例えば保持部５１がＢ方向（時計方向）に回転移動すると、被規制部材５５ｃの側面６５ａと規制部６０ｂの側面６４ｂとが、互いに接触する。
【００８８】
又、保持部５１がＢ方向（反時計方向）に回転移動すると、被規制部材５５ｃの側面６５ｂと規制部６０ｃの側面６４ｃとが、互いに接触する。
【００８９】
このような状態で、保持部５１が軸５２を中心にＢ方向（時計方向）に回転移動すると、光学素子ユニット２１ａが光軸Ｌ２上から外れ、光学素子ユニット２１ｂが光軸Ｌ２上に配置されて、各光学素子ユニット２１ａ、２１ｂの切り換えが行なわれる。
【００９０】
さらに、保持部５１をＢ方向（時計方向）に回転移動させようとすると、被規制部材５５ｃの側面６５ａと規制部６０ｂの側面６４ｂとが互いに接触し、保持部５１のＢ方向（時計方向）に回転が規制される。
【００９１】
次に、保持部５１をＢ方向（反時計方向）に回転移動させると、光学素子ユニット２１ｂが光軸Ｌ２上から外れ、再び光学素子ユニット２１ａが光軸Ｌ２上に配置されて、元の状態に戻る。
【００９２】
さらに、保持部５１をＢ方向（反時計方向）に回転移動させると、被規制部材５５ｃの側面６５ｂと規制部６０ｃの側面６４ｃとが互いに接触する。これにより、保持部５１のＢ方向（反時計方向）の回転が規制される。
【００９３】
このように上記第２の実施の形態によれば、各光学素子ユニット２１ａ、２１ｂを保持する円形の保持部５１を軸５２を中心にＢ方向（時計方向、反時計方向）に回転移動させて所望の光学素子ユニット２１ａ、２１ｂを光軸Ｌ２上に切り換える場合に、保持部２２の円周方向に均等間隔で各被規制部材５５ａ〜５５ｃを設け、かつ軸５２上の支持部材５８に保持部５１のＢ方向（時計方向、反時計方向）への回転移動範囲を規制するための各規制部６０ｂ、６０ｃを設けた。
【００９４】
これにより、各光学素子ユニット２１ａ、２１ｂを保持する保持部５１を回転移動させて所望の光学素子ユニット２１ａ、２１ｂを光軸Ｌ２上に切り換える構成であっても、保持部５１に光学素子ユニットの未装着があっても、保持部５１の回転移動範囲を規制できる。この結果、保持部５１を回転移動して各光学素子ユニット２１ａ、２１ｂの未装着な状態の部分を光軸Ｌ２上に配置するような不要な切り換えを防止でき、各光学素子ユニット２１ａ、２１ｂの切り換えの操作性を向上できるなどの上記第１の実施の形態と同様の効果を奏することができる。
【００９５】
次に、本発明の第３の実施の形態について図面を参照して説明する。なお、図１乃至図４と同一部分には同一符号を付してその詳しい説明は省略する。
【００９６】
図７乃至図９は顕微鏡の光学素子切換装置の構成図であって、図７は保持部２２の移動範囲の規制を解除したときの側面断面図、図８は保持部２２の移動範囲を規制したときの側面断面図、図９は上面図である。
【００９７】
光学素子切換装置７０における上記第１の実施の形態との相違点は、各被規制部材３２ａ，３２ｃを各被規制部材７１に代えたところである。なお、被規制部材７１は、図示の関係上１つのみを示す。
【００９８】
この被規制部材７１が設けられる保持部２２の上部には、凹形状の開口部７２が形成されている。この開口部７２内には、摺動穴が水平方向（保持部２２の移動方向と同一方向）に設けられている。又、開口部７２内における摺動穴の斜め左の下方には、第２の突起７４とが設けられている。
【００９９】
上記被規制部材７１は、断面がＬ型形状に形成され、かつ両端面にそれぞれ円筒状の突出部７５ａ、７５ｂが設けられている。被規制部材７１には、突出部７５ａ、７５ｂと同軸上に摺動穴７１１が開けられ、軸７５０に嵌め込まれて被規制部材７１が回転できるようになっている。突出部７５ａ、７５ｂの端面と開口端の側面とが接触し、軸７５０方向への移動が制限されている。
【０１００】
又、突出部７５ａには、コイルバネ７６が嵌め込まれている。このコイルバネ７６の一端（一方の腕）は第１の突起７３に接触し、他端（他方の腕）は第２の突起７４に接触し、被規制部材７１に対して矢印Ｃ方向（反時計方向）、すなわちコイルバネ７６の両腕が開く方向に付勢力を与えている。
【０１０１】
光学素子ユニット２１ａの取付け部２９ａの上部には、開口部７２内に向って突出する突起部７７が設けられている。この突起部７７は、光学素子ユニット２１ａを保持部２２に取り付けたときに、コイルバネ７６の付勢により回転する被規制部材７１の一端側と接触して、被規制部材７１の矢印Ｃ方向への回転を規制する。
【０１０２】
次に、上記の如く構成された光学素子切換装置の動作について説明する。
【０１０３】
図７に示すように光学素子ユニット２１ａを保持部２２に取り付けると、光学素子ユニット２１ａの取付け部２９ａ上部に設けられた突起部７７が被規制部材７１の一端側と接触し押圧して、この被規制部材７１を時計方向（矢印Ｃ方向とは反対方向）に回転させる。これにより、被規制部材７１は、他端側が規制部４５ａの端面４９ｃから離れる。この結果、保持部２２が案内部２３に対してスライド移動しても被規制部７１は、規制部４５ａに対して接触しない状態になる。
【０１０４】
一方、図８に示すように光学素子ユニット２１ａを保持部２２から取り外した状態では、光学素子ユニット２１ａの突起部７７の被規制部材７１に対する押圧が無くなり、この被規制部材７１を反時計方向（矢印Ｃ方向）に回転し、その他端側が規制部４５ａの端面４７ａに対して接触する位置に移動する。この結果、保持部２２が案内部２３に対してスライド移動すると、被規制部７１は、規制部４５ａに対して接触する状態になる。
【０１０５】
このように第３の実施の形態によれば、光学素子ユニット２１ａの保持部２２に対する着脱と共に、被規制部材７１を回転して、被規制部７１を規制部４５ａに対して接触する状態又は接触しない状態にするので、上記第１の実施の形態と同様の効果を奏することができると共に、光学素子ユニット２１ａの保持部２３に装着しなければ、被規制部７１が規制部４５ａに接触する状態になるので、光学素子ユニット２１ａが未装着な状態で光路Ｌ１、Ｌ２上に切り換えるというような不要な切り換え操作を防止でき、操作性をより向上できる。さらに、光学素子ユニット２１ａの保持部２３への着脱に連動して切り換え動作が規制されるので、規制を行う作業を簡便できる。
【０１０６】
次に、本発明の第４の実施の形態について図面を参照して説明する。なお、図７乃至図９と同一部分には同一符号を付してその詳しい説明は省略する。
【０１０７】
図１０及び図１１は顕微鏡の光学素子切換装置の構成図であって、図１０は側面断面図、図１１は上面図である。規制部８０は、軸部材８１と規制部材８２とからなる。軸部材８１は、一端部に操作つまみ８３が形成され、他端部に止め部材８４を取り付けるための取付け部８５が形成されている。この軸部材８１の軸外周上には、２つの規制部材８６、８７が固定されている。
【０１０８】
案内部２３の左右両端側における各上面には、２つの支持部８８、８９が設けられている。これら支持部８８、８９には、それぞれ摺動穴９０、９１が設けられている。これら摺動穴９０内には、軸部材８１が嵌め込められ、軸部材８１を回転可能に支持している。この軸部材８１は、操作つまみ８３の一端面９２と他端面側の止め部材８４とによって軸方向への移動が規制されている。
【０１０９】
操作つまみ８３側の支持部８８には、ホールプランジャ９３が設けられ、軸部材８１の外周に形成された例えば２箇所の各溝９４、９５内にホールプランジャ９３が嵌め込められることによって軸部材８１の回転位置を切り換えられるようになっている。
【０１１０】
次に、上記の如く構成された光学素子切換装置の動作について説明する。
【０１１１】
操作つまみ８３を回転操作することにより、規制部材８２は、被規制部材７１と接触する位置（図面上実線で示す）又は接触しない位置（図面上破線で示す）とに切り換えることができる。
【０１１２】
規制部材８２が被規制部材７１と接触する位置に配置された状態であれば、光学素子ユニット２１ａを保持部２３に取り付けると、上記第３の実施の形態と同様に、光学素子ユニット２１ａの取付け部２９ａ上部に設けられた突起部７７が被規制部材７１の一端側と接触し押圧して、この被規制部材７１を時計方向（矢印Ｃ方向とは反対方向）に回転させる。これにより、被規制部材７１は、他端側が規制部４５ａの端面４５ｄから離れる。この結果、保持部２２が案内部２３に対してスライド移動しても被規制部７１は、規制部４５ａに対して接触しない状態になる。
【０１１３】
又、光学素子ユニット２１ａを保持部２３から取り外すと、光学素子ユニット２１ａの突起部７７の被規制部材７１に対する押圧が無くなり、この被規制部材７１を反時計方向（矢印Ｃ方向）に回転し、その他端側が規制部４５ａの端面４５ｄに対して接触する位置に移動する。この結果、保持部２２が案内部２３に対してスライド移動すると、被規制部７１は、規制部８０に対して接触する状態になる。
【０１１４】
一方、規制部材８２が被規制部材７１と接触しない位置に配置された状態であれば、規制部材８２が被規制部材７１と接触する位置（図面上実線で示す）又は接触しない位置（図面上破線で示す）とのいずれに切り換えても、規制部材８２と被規制部材７１とは接触することがない。
【０１１５】
このように第４の実施の形態によれば、操作つまみ８３を回転操作して規制部材８２を被規制部材７１と接触する位置又は接触しない位置とに切り換えるようにしたので、各光学素子ユニット２１ａ、２１ｂの切り換えの規制とその解除を行うか否かの規制及びその解除を行うことができる。この規制及びその解除は、操作つまみ８３を回転操作するだけなので、簡便である。勿論、上記第１の実施の形態と同様の効果を奏することは言うまでもない。
【０１１６】
次に、本発明の第５の実施の形態について図面を参照して説明する。なお、図２乃至図４と同一部分には同一符号を付してその詳しい説明は省略する。
【０１１７】
図１２乃至図１４は顕微鏡の光学素子切換装置の構成図であって、図１２は側面断面図、図１３は上面図、図１４は正面図である。この光学素子切換装置１００は、各光学素子ユニット２１ａ、２１ｂをそれぞれ所定位置である各光軸Ｌ１、Ｌ２の交差点上に配置するための各位置にそれぞれ保持部２２を位置決め可能とする位置決め手段１０１を備えている。この位置決め手段１０１は、案内部２３に設けられた位置決め案内部１０２と、保持部２２に設けられた各被位置決め部１０３ａ〜１０３ｃとを有する。なお、図１２は被位置決め部１０３ｂの側面断面を示し、他の被位置決め部１０３ａ、１０３ｃは被位置決め部１０３ｂと同一構成であるのでその図示は省略する。
【０１１８】
被位置決め部１０３ａ〜１０３ｃは、それぞれ角形状の各被位置決め部材１０４ａ〜１０４ｃを有する。これら被位置決め部材１０４ａ〜１０４ｃの各先端部には、それぞれ半球状の各突起部１０５ａ〜１０５ｃが形成されている。これら被位置決め部材１０４ａ〜１０４ｃは、それぞれ保持部２２の上面に設けられた各溝３３ａ〜３３ｃに摺動可能な状態に嵌め込まれ、かつ各ビス１０６ａ〜１０６ｃにより締め付けられて固定される。又、各位置決め部材１０４ａ〜１０４ｃには、それぞれ長溝の各ビス孔１０７ａ〜１０７ｃが設けられている。これにより、各被位置決め部材１０４ａ〜１０４ｃは、それぞれ各ビス孔１０７ａ〜１０７ｃに沿って案内部２３側とこれとは反対側とに移動可能であり、当該各被位置決め部材１０４ａ〜１０４ｃの固定位置を変えることが可能である。
【０１１９】
位置決め案内部１０２は、案内部２３の上面の中央部に設けられている。この位置決め案内部１０２は、弾性部材により板状に形成された位置決め案内部材１１０と、この位置決め案内部材１１０を案内部２３の上面に固定するビス１１１とを有する。
【０１２０】
位置決め案内部材１１０の先端部には、各位置決め部材１０４ａ〜１０４ｃの各突起部１０５ａ〜１０５ｃと接触して係止めするための凹形状に形成された案内凹部１１２が設けられている。この位置決め案内部材１１０は、案内凹部１１２の両側にそれぞれ各案内板部１１２ａ、１１２ｂが形成されている。これら案内板部１１２ａ、１１２ｂは、案内凹部１１２の凹形状の開口を広げる方向に延出して形成され、各被位置決め部材１０４ａ〜１０４ｃの各突起部１０５ａ〜１０５ｃを案内凹部１１２内に導く。
【０１２１】
従って、保持部２２に取り付けられた各光学素子ユニット２１ａ、２１ｂに対応する各位置決め部材１０４ｂ、１０４ｃが各溝３３ｂ、３３ｃに沿って案内部２３側に移動されて固定される。この状態で、保持部２２を矢印Ａ方向に移動させて光学素子ユニット２１ａ又は２１ｂを光軸Ｌ１上に配置させると、位置決め部材１０４ｂ又は１０４ｃの突起部１０５ｂ又は１０５ｃが位置決め案内部材１１０における左右いずれかの案内板部１１２ａ又は１１２ｂに接触しながら案内凹部１１２に導かれ、この案内凹部１１２内に接触して係止めされる。これにより、光学素子ユニット２１ａ又は２１ｂは、各光軸Ｌ１とＬ２との交差点上に正確に位置決めされ保持される。
【０１２２】
一方、各位置決め部材１０４ａ〜１０４ｃが案内部２３側とは反対側に移動されて固定されると、保持部２２が矢印Ａ方向に移動しても、各位置決め部材１０４ａ〜１０４ｃは、位置決め案内部材１１０に接触せずに係止されない。これにより、各位置決め部材１０４ａ〜１０４ｃの各突起部１０５ａ〜１０５ｃは、いずれも位置決め案内部材１１０の案内凹部１１２内に係止されず、光学素子ユニット２１ａ又は２１ｂは、各光軸Ｌ１とＬ２との交差点上に位置決めされない。
【０１２３】
次に、上記の如く構成された光学素子切換装置の動作について説明する。
【０１２４】
例えば、図１３に示すように保持部２２の中央のスライドメスアリ２９ｂに明視野用の光学素子ユニット２１ａが装着され、右側のスライドメスアリ２９ｃに暗視野用の光学素子ユニット２１ｂが装着され、このうち明視野用の光学素子ユニット２１ａが光軸Ｌ２上に配置されている。保持部２２には、最大３個の光学素子ユニットを装着可能であるが、ここでは左側のスライドメスアリ２９ａに光学素子ユニットが装着されていない。これら光学素子ユニット２１ａ、２１ｂは、保持部２２に嵌めこまれ、それぞれ各位置決め部３０ｂ、３０ｃに当て付き、それぞれ各ビス１１５を各取付け孔２６、２８に差込んでねじ込むことで固定されている。このように中央のスライドメスアリ２９ｂに例えば明視野用の光学素子ユニット２１ａを常に装着し、必要に応じて左右のうちいずれか一方又は両方に別の例えば暗視野用の光学素子ユニット２１ｂを装着して使用するのが、操作性の観点から考える通常の使用状態である。
【０１２５】
明視野用の光学素子ユニット２１ａと暗視野用の光学素子ユニット２１ｂとに対応する各位置決め部材１０４ｂ、１０４ｃは、図１３に示すようにそれぞれ各溝３３ｂ、３３ｃに沿って案内部２３側に移動して固定される。光学素子ユニットを取り付けていない取付け部２９ａに対応する位置決め部材１０４ａは、溝３３ａに沿って案内部２３側とは反対側に移動して固定される。この場合、位置決め部材１０４ａは、各位置決め部材１０４ｂ、１０４ｃの位置よりも距離ｄだけ案内部２３側とは反対側にずれて固定される。
【０１２６】
このような状態で、操作つまみ３６を矢印Ａ方向の図面上左側に移動させると、明視野用の光学素子ユニット２１ａが各光軸Ｌ１とＬ２との交差点上から外れ、暗視野用の光学素子ユニット２１ｂが各光軸Ｌ１とＬ２との交差点上に配置される。これにより、光学素子ユニット２１ａから光学素子ユニット２１ｂに切り替えられる。
【０１２７】
この切り替えの際、暗視野用の光学素子ユニット２１ｂに対応する位置決め部材１０４ｃが溝３３ｃに沿って案内部２３側に移動されて固定されるので、暗視野用の光学素子ユニット２１ｂを各光軸Ｌ１とＬ２との交差点上に配置させるとき、図１４に示すように位置決め部材１０４ｃの突起部１０５ｃが位置決め案内部材１１０の案内板部１１２ｂに接触しながら案内凹部１１２内に導かれ係止めされる。これにより、暗視野用の光学素子ユニット２１ｂは、各光軸Ｌ１とＬ２との交差点上に正確に位置決めされ保持される。
【０１２８】
操作つまみ３６をさらに左側に移動させると、保持部２２が案内部２３に設けられた突起部４４ａの端面と接触し、左側への移動が規制される。
【０１２９】
一方、操作つまみ３６を右側に移動させると、暗視野用の光学素子ユニット２１ｂが各光軸Ｌ１とＬ２との交差点上から外れ、明視野用の光学素子ユニット２１ａが各光軸Ｌ１とＬ２との交差点上に配置される。この切り替えの際でも、明視野用の光学素子ユニット２１ａに対応する位置決め部材１０４ｂが溝３３ｂに沿って案内部２３側に移動されて固定されるので、明視野用の光学素子ユニット２１ａを各光軸Ｌ１とＬ２との交差点上に配置させるとき、図１４に示すように位置決め部材１０４ｂの突起部１０５ｂが位置決め案内部材１１０の案内板部１１２ａに接触しながら案内凹部１１２内に導かれ係止めされる。これにより、明視野用の光学素子ユニット２１ａは、各光軸Ｌ１とＬ２との交差点上に正確に位置決めされ保持される。
【０１３０】
操作つまみ３６をさらに右側に移動させると、光学素子ユニットを取り付けていない取付け部２９ａに対応する位置決め部材１０４ａは、溝３３ａに沿って案内部２３側とは反対側に移動されて固定されるので、位置決め部材１０４ａの突起部１０５ａは、位置決め案内部材１１０の案内板部１１２ａに接触せず、案内凹部１１２内に係止されない。さらに、操作つまみ３６を右側に移動させると、保持部２２が案内部２３に設けられた突起部４４ｂの端面と接触し、右側への移動が規制される。
【０１３１】
このように上記第５の実施の形態によれば、案内凹部１１２を有する位置決め案内部１０２を案内部２３に設け、各突起部１０５ａ〜１０５ｃを設けた各位置決め部材１０４ａ〜１０４ｃを有する各被位置決め部１０３ａ〜１０３ｃを保持部２２に設け、明視野用の光学素子ユニット２１ａ及び暗視野用の光学素子ユニット２１ｂを取り付けた各位置決め部材１０４ｂ、１０４ｃを案内凹部１１２内に係止可能な位置に移動させ、各突起部１０５ｂ、１０５ｃを案内凹部１１２内に係止させることで、明視野用の光学素子ユニット２１ａ又は暗視野用の光学素子ユニット２１ｂを各光軸Ｌ１とＬ２との交差点上に位置決めする。
【０１３２】
これによって、明視野用の光学素子ユニット２１ａ又は暗視野用の光学素子ユニット２１ｂを各光軸Ｌ１とＬ２との交差点上に正確に位置決めでき、光学素子ユニットを取り付けていない取付け部２９ａに対しては係止されずに光軸Ｌ２上を通過するだけで、位置決めされることはない。この結果、無駄な切り替え操作を行わずに、例えば明視野用の光学素子ユニット２１ａと暗視野用の光学素子ユニット２１ｂとの切り替え時に、迅速に明視野用の光学素子ユニット２１ａ又は暗視野用の光学素子ユニット２１ｂの各光軸Ｌ１とＬ２との交差点上への位置決めができる。
【０１３３】
位置決め案内部材１１０は、弾性部材により板状に形成しているので、位置決め案内部材１１０の案内凹部１１２内への各突起部１０５ｂ、１０５ｃの導入が柔軟に行え、かつ案内凹部１１２内に各突起部１０５ｂ、１０５ｃが装着性よく係止できる。
【０１３４】
なお、上記第５の実施の形態は、次のように変形してもよい。
【０１３５】
保持部２２は、３つの光学素子ユニットを取り付け可能にしているが、これに限らず、３つ以上の光学素子ユニットを取り付け可能に複数の取付け部を設けてもよい。
【０１３６】
各光学素子ユニット２１ａ、２１ｂは、ある一つの特定した着脱方式、直線移動機構に限定されるものでない。例えば、各光学素子ユニット２１ａ、２１ｂの保持部２２に対する着脱機構は、スライドアリ形状を用いた垂直方向の嵌め合いに限るものでなく、例えば各光学素子ユニット２１ａ、２１ｂを水平方向から取付ける構造にしてもよい。保持部２２の矢印Ａ方向への直線移動機構もスライドアリ形式に限るものではなく、ボールガイドによる方式等に代えてもよい。
【０１３７】
案内部２３に位置決め案内部１０２を設け、保持部２２に被位置決め部１０３を設けるのに限らず、これとは反対に案内部２３に被位置決め部１０３を設け、保持部２２に位置決め案内部１０２を設けてもよい。
【０１３８】
位置決め案内部１１０は、板状の弾性部材により形成するのに限らず、例えば弾性部材とボール等からなるプランジャーを使用てもよい。
【０１３９】
次に、本発明の第６の実施の形態について図面を参照して説明する。なお、図５及び図６と同一部分には同一符号を付してその詳しい説明は省略する。
【０１４０】
図１５及び図１６は顕微鏡の光学素子切換装置の構成図であって、図１５は側面断面図、図１６は上面図である。光学素子切換装置２００は、上記光学素子切換装置５０（図５及び図６参照）と同様に、例えばハーフミラー等の複数種類の各光学素子８をそれぞれ組み込んだ複数（例えば２個）の光学素子ユニット２１ａ、２１ｂと、これら光学素子ユニット２１ａ、２１ｂを保持する保持部５１と、この保持部５１を図１６に示すように矢印Ｂ方向（時計方向及び反時計方向）に回転させて所定位置（各光軸Ｌ１、Ｌ２の交差点）まで移動可能に設けた案内部としての軸５２とを有する。
【０１４１】
この光学素子切換装置２００は、保持部５１を軸５２を中心に回転させて、各光学素子ユニット２１ａ、２１ｂをそれぞれ各光軸Ｌ１、Ｌ２の交差点上にそれぞれ位置決めする位置決め手段２０１を備えている。この位置決め手段２０１は、上記図５及び図６に示す位置決め手段１０１と同様に、軸５２の上部に設けられた支持部材５８上でかつ光軸Ｌ１上に設けられた位置決め案内部１０２と、保持部５１の外周面に例えば軸５２を中心に１２０度毎の均等な各位置すなわち各光学素子ユニット２１ａ、２１ｂなどを保持する各位置に対応して設けられた各被位置決め部１０３ａ〜１０３ｃとを有する。これら位置決め案内部１０２及び各被位置決め部１０３ａ〜１０３ｃの各構成は、上記図５及び図６に示す構成と同一であるのでその詳細な説明は省略する。
【０１４２】
次に、上記の如く構成された光学素子切換装置の動作について説明する。
【０１４３】
例えば、保持部５１のスライドメスアリ５３ａに明視野用の光学素子ユニット２１ａが装着され、スライドメスアリ５３ｂに暗視野用の光学素子ユニット２１ｂが装着され、このうち明視野用の光学素子ユニット２１ａが各光軸Ｌ１とＬ２との交差点上に配置されている。保持部５１は、その外周上に最大３個の光学素子ユニットを装着可能であるが、ここではスライドメスアリ５３ｃには、光学素子ユニットを装着していない。このようにスライドメスアリ５３ａに例えば明視野用の光学素子ユニット２１ａを常に装着し、必要に応じて他のスライドメスアリ５３ｂ、５３ｃに例えば暗視野用の光学素子ユニット２１ｂを装着して使用するのが、操作性の観点から考える通常の使用状態である。
【０１４４】
明視野用の光学素子ユニット２１ａと暗視野用の光学素子ユニット２１ｂとに対応する各位置決め部材１０４ａ、１０４ｂは、図１６に示すようにそれぞれ各溝５４ａ、５４ｂに沿って軸５２側に移動して固定される。光学素子ユニットを取り付けていないスライドメスアリ５３ａに対応する位置決め部材１０４ｃは、溝５４ｃに沿って軸５２側とは反対側に移動して固定される。
【０１４５】
このような状態で、保持部５１を矢印Ｂ方向である例えば時計回転方向に回転させると、明視野用の光学素子ユニット２１ａが各光軸Ｌ１とＬ２との交差点上から外れ、暗視野用の光学素子ユニット２１ｂが各光軸Ｌ１とＬ２との交差点上に配置される。これにより、光学素子ユニット２１ａから光学素子ユニット２１ｂに切り替えられる。
【０１４６】
この切り替えの際、暗視野用の光学素子ユニット２１ｂに対応する位置決め部材１０４ｂが溝３３ｂに沿って軸５２側に固定されているので、暗視野用の光学素子ユニット２１ｂを各光軸Ｌ１とＬ２との交差点上に配置させるとき、位置決め部材１０４ｂの突起部１０５ｂが位置決め案内部材１１０の案内板部１１２ｂに接触しながら案内凹部１１２内に導かれ係止めされる。これにより、暗視野用の光学素子ユニット２１ｂは、各光軸Ｌ１とＬ２との交差点上に正確に位置決めされ保持される。
【０１４７】
次に、保持部５１を反時計回転方向に回転させると、暗視野用の光学素子ユニット２１ｂが各光軸Ｌ１とＬ２との交差点上から外れ、明視野用の光学素子ユニット２１ａが各光軸Ｌ１とＬ２との交差点上に配置される。この切り替えの際でも、明視野用の光学素子ユニット２１ａに対応する位置決め部材１０４ａが溝５４ａに沿って軸５２側に移動されて固定されるので、明視野用の光学素子ユニット２１ａを各光軸Ｌ１とＬ２との交差点上に配置させるとき、位置決め部材１０４ａの突起部１０５ａが位置決め案内部材１１０の案内板部１１２ａに接触しながら案内凹部１１２内に導かれ係止めされる。これにより、明視野用の光学素子ユニット２１ａは、各光軸Ｌ１とＬ２との交差点上に正確に位置決めされ保持される。
【０１４８】
保持部５１をさらに左回転方向に回転させると、光学素子ユニットを取り付けていないスライドメスアリ５３ｃに対応する位置決め部材１０４ｃは、溝５４ｃに沿って軸５２側とは反対側に移動されて固定されるので、位置決め部材１０４ｃの突起部１０５ｃは、位置決め案内部材１１０の案内板部１１２ａに接触せず、案内凹部１１２内に係止されない。
【０１４９】
このように上記第６の実施の形態によれば、各光学素子ユニット２１ａ、２１ｂを保持する円形の保持部５１を軸５２を中心にＢ方向（時計方向、反時計方向）に回転移動させて所望の光学素子ユニット２１ａ、２１ｂを各光軸Ｌ１とＬ２との交差点上に切り換える機構に、軸５２の上部に設けられた支持部材５８上でかつ光軸Ｌ１上に設けられた位置決め案内部１０２と、各光学素子ユニット２１ａ、２１ｂを保持する保持部５１に設けられた各被位置決め部１０３ａ〜１０３ｃとを有する位置決め手段２０１を設けたので、上記第６の実施の形態と同様に、明視野用の光学素子ユニット２１ａ又は暗視野用の光学素子ユニット２１ｂを各光軸Ｌ１とＬ２との交差点上に正確に位置決めでき、光学素子ユニットを取り付けていない部分に対しては係止されずに各光軸Ｌ１とＬ２との交差点上を通過するだけで、位置決めされることはない。この結果、無駄な切り替え操作を行わずに、明視野用の光学素子ユニット２１ａと暗視野用の光学素子ユニット２１ｂとの切り替え時に、迅速に明視野用の光学素子ユニット２１ａ又は暗視野用の光学素子ユニット２１ｂの各光軸Ｌ１とＬ２との交差点上への位置決めができる。
【０１５０】
なお、上記第６の実施の形態は、次のように変形してもよい。
【０１５１】
保持部５１は、３つの光学素子ユニットを取り付け可能にしているが、これに限らず、３つ以上の光学素子ユニットを取り付け可能に複数の取付け部を設けてもよい。
【０１５２】
各光学素子ユニット２１ａ、２１ｂは、ある一つの特定した着脱方式に限定されるものでない。例えば、各光学素子ユニット２１ａ、２１ｂの保持部５１に対する着脱機構は、スライドアリ形状を用いた垂直方向の嵌め合いに限るものでなく、例えば各光学素子ユニット２１ａ、２１ｂを水平方向から取付ける構造にしてもよい。
【０１５３】
軸５２に位置決め案内部１０２を設け、保持部５１に各被位置決め部１０３を設けるのに限らず、軸５２に各被位置決め部１０３を設け、保持部５１に位置決め案内部１０２を設けてもよい。
【０１５４】
次に、本発明の第７の実施の形態について図面を参照して説明する。なお、図１２及び図１３と同一部分には同一符号を付してその詳しい説明は省略する。
【０１５５】
図１７乃至図１９は顕微鏡の光学素子切換装置の構成図であって、図１７は保持部２２の位置決め動作を示す側面断面図、図１８は保持部２２の位置決め動作を解除したときの側面断面図、図１９は正面図、図２０は詳細図である。
【０１５６】
光学素子切換装置３００における上記第５の実施の形態との相違点は、各被位置決め部１０３ａ〜１０３ｃを各被位置決め部３０１ａ〜３０１ｃに代えたところである。なお、図１７は位置決め案内部１０２及び被位置決め部３０１ｂの側面断面図を示す。
【０１５７】
これら被位置決め部３０１ａ〜３０１ｃは、保持部２２の上部に形成された凹形状の各開口部７２ａ〜７２ｃ内に設けられている。これら開口部７２ａ〜７２ｃ間には、軸７５０が水平方向に貫通している。各被位置決め部３０１ａ〜３０１ｃは、軸７５０を中心に回転可能に保持されている。
【０１５８】
これら被位置決め部３０１ａ〜３０１ｃは、それぞれ位置決め部材３０２ａ〜３０２ｃと、各ねじりコイルバネ３０３ａ〜３０３ｃとを有する。各位置決め部材３０２ａ〜３０２ｃは、板状に形成され、かつ両端面にそれぞれ円筒状の各突出部３０４ａ、３０５ａが設けられている。これら位置決め部材３０２ａ〜３０２ｃには、各突出部３０４ａ、３０５ａと同軸上に摺動穴３０６が開けられ、軸７５０に嵌め込まれて各位置決め部材３０２ａ〜３０２ｃが回転可能になっている。各突出部３０４ａ、３０５ａの端面と開口端の側面とは接触し、軸７５０方向への移動が制限されている。この各位置決め部材３０２ａ〜３０２ｃの先端部は、それぞれ突起状に形成され、その一側面上に各突起部１０５ａ〜１０５ｃが設けられている。
【０１５９】
各位置決め部材３０２ａ〜３０２ｃの側面には、それぞれ円柱状の各第１の突起７３ａ〜７３ｃが設けられている。又、各開口部７２ａ〜７２ｃ内には、それぞれ円柱状の各第２の突起７４ａ〜７４ｃが設けられている。各突出部３０４ａ〜３０４ｃには、それぞれ各ねじりコイルバネ３０３ａ〜３０３ｃが嵌め込まれている。これらねじりコイルバネ３０３ａ〜３０３ｃは、それぞれその一端（一方の腕）が各第１の突起７３ａ〜７３ｃに接触し、他端（他方の腕）が各第２の突起７４ａ〜７４ｃに接触し、各位置決め部材３０２ａ〜３０２ｃに対して図１８に示すように矢印Ｃ方向（反時計方向）、すなわち各ねじりコイルバネ３０３ａ〜３０３ｃの両腕が開く方向に付勢力を与えている。
【０１６０】
各光学素子ユニット２１ａ、２１ｂの各取付け部２９ａ、２９ｂの上部には、それぞれ各開口部７２ａ〜７２ｃ内に向って突出する各突起部７７ａ、７７ｂが設けられている。これら突起部７７ａ、７７ｂは、それぞれ光学素子ユニット２１ａ、２１ｂを保持部２２に取り付けたときに、各ねじりコイルバネ３０３ｂ、３０３ｃの付勢により回転する各位置決め部材３０２ｂ、３０２ｃの一端側と接触して、各位置決め部材３０２ｂ、３０２ｃの矢印Ｃ方向への回転を規制する。
【０１６１】
次に、上記の如く構成された光学素子切換装置の動作について説明する。
【０１６２】
図１７に示すように明視野用の光学素子ユニット２１ａを保持部２２に取り付けると、この光学素子ユニット２１ａの取付け部２９ｂの上部に設けられた突起部７７ａが位置決め部材３０２ｂの一端側と接触し押圧して、この位置決め部材３０２ｂを時計方向（矢印Ｃ方向とは反対方向）に回転させる。これにより、位置決め部材３０２ｂの先端部に設けられた突起部１０５ｂが保持部２２の開口部７２ｂの上方側に配置される。
【０１６３】
暗視野用の光学素子ユニット２１ｂを保持部２２に取り付けるときも同様に、光学素子ユニット２１ｂの取付け部２９ｃの上部に設けられた突起部７７ｂが位置決め部材３０２ｃの一端側と接触し押圧して、この位置決め部材３０２ｃを時計方向（矢印Ｃ方向とは反対方向）に回転させる。これにより、位置決め部材３０２ｃの先端部に設けられた突起部１０５ｃが保持部２２の開口部７２ｃの上方側に配置される。
【０１６４】
この状態で、操作つまみ３６を移動させて明視野用の光学素子ユニット２１ａを各光軸Ｌ１、Ｌ２の交差点上に配置しようとするとき、位置決め部材３０２ｂの突起部１０５ｂが開口部７２ｂの上方側に配置されているので、位置決め部材３０２ｂの突起部１０５ｂが位置決め案内部材１１０の案内凹部１１２内に導かれ係止めされる。これにより、明視野用の光学素子ユニット２１ａは、各光軸Ｌ１、Ｌ２の交差点上に正確に位置決めされ保持される。
【０１６５】
暗視野用の光学素子ユニット２１ｂを各光軸Ｌ１、Ｌ２の交差点上に配置しようとするときも同様に、位置決め部材３０２ｃの突起部１０５ｃが開口部７２ｃの上方側に配置されているので、位置決め部材３０２ｃの突起部１０５ｃが位置決め案内部材１１０の案内凹部１１２内に導かれ係止めされる。これにより、暗視野用の光学素子ユニット２１ｂは、各光軸Ｌ１、Ｌ２の交差点上に正確に位置決めされ保持される。
【０１６６】
光学素子ユニットを取り付けていない取付け部２９ａに対応する位置決め部材３０２ａは、図１９に示すようにねじりコイルバネ３０３ａの付勢により矢印Ｃ方向への回転し、突起部１０５ａが開口部７２ａの内部側に配置されている。これにより、位置決め部材１０４ａの突起部１０５ａは、位置決め案内部材１１０の案内凹部１１２内に係止されない。
【０１６７】
このように上記第７の実施の形態によれば、各光学素子ユニット２１ａ、２１ｂの取り付け、取り外しに連動して各位置決め部材３０２ａ、３０２ｂを回転可能に設け、各光学素子ユニット２１ａ、２１ｂを取り付けたときに、各位置決め部材３０２ａ、３０２ｂの各突起部１０５ａ、１０５ｃを位置決め案内部材１１０の案内凹部１１２内に係止めするようにしたので、上記第５の実施の形態と同様に、無駄な切り替え操作を行わずに、明視野用の光学素子ユニット２１ａと暗視野用の光学素子ユニット２１ｂとの切り替え時に、迅速に明視野用の光学素子ユニット２１ａ又は暗視野用の光学素子ユニット２１ｂの各光軸Ｌ１、Ｌ２の交差点上への位置決めができる。
【０１６８】
各光学素子ユニット２１ａ、２１ｂの取り付け、取り外しに連動して各位置決め部材３０２ａ、３０２ｂを回転可能に設けたので、取り付けた各光学素子ユニット２１ａ、２１ｂに対応する各突起部１０５ａ、１０５ｃを案内凹部１１２内に係止可能な位置に配置でき、取り扱いが簡便である。
【０１６９】
本発明の別の特徴を説明すると、請求項７記載の顕微鏡の光学素子切換装置において、被規制部材は、前記保持部に設けられた開口部内に回転可能に設けられて、弾性部材の付勢力により前記規制部材と接触する位置にあり、前記光学素子ユニットを前記保持部に取り付けるのに連動して前記規制部材と非接触な位置に回転移動することを特徴とする。
【０１７０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【０１７１】
例えば、上記第３の実施の形態では、被規制部材７１を回転可能に設け、光学素子ユニット２１ａの保持部２３に対する着脱に連動して被規制部７１を規制部４５ａに対して接触する状態又は接触しない状態にしているが、この構造は、図５及び図６に示す上記第２の実施の形態に適用することもできる。
【０１７２】
又、規制部は、保持部における複数の光学素子ユニットを保持すべき複数の位置にそれぞれ対応して複数設けてもよい。
【０１７３】
又、光学素子ユニットを保持部に取り付けたときの被規制部の規制部に対する接触、非接触の状態の切替えは、次の構成にしてもよい。光学素子ユニットを保持部に取り付けると、この光学素子ユニットの取付けにより押されて回転する回転部材と、この回転部材の回転に応動して上下動する被規制部とを設ける。
【０１７４】
このような構成であれば、光学素子ユニットを保持部から取り外した状態では、回転部材は、待機状態の回転位置にあり、被規制部は下降して規制部に接触する状態にある。
【０１７５】
光学素子ユニットを保持部に取り付けると、この光学素子ユニットの取付けにより押されて回転部材が回転する。この回転部材の回転に応動して被規制部が上昇する。これにより、被規制部は、規制部に接触しない状態になる。
【図面の簡単な説明】
【０１７６】
【図１】本発明に係る顕微鏡の光学素子切換装置の第１の実施の形態を適用した顕微鏡本体を示す構成図。
【図２】同顕微鏡の光学素子切換装置の側面断面図。
【図３】同顕微鏡の光学素子切換装置の上面図。
【図４】同顕微鏡の光学素子切換装置の正面図。
【図５】本発明に係る顕微鏡の光学素子切換装置の第２の実施の形態を示す側面断面図。
【図６】同顕微鏡の光学素子切換装置の上面図。
【図７】本発明に係る顕微鏡の光学素子切換装置の第３の実施の形態を示す保持部の移動範囲の規制を解除したときの側面断面図。
【図８】同顕微鏡の光学素子切換装置における保持部の移動範囲を規制したときの側面断面図。
【図９】同顕微鏡の光学素子切換装置の上面図。
【図１０】本発明に係る顕微鏡の光学素子切換装置の第４の実施の形態を示す側面断面図。
【図１１】同顕微鏡の光学素子切換装置の上面図。
【図１２】本発明に係る顕微鏡の光学素子切換装置の第５の実施の形態を示す側面断面図。
【図１３】同顕微鏡の光学素子切換装置の上面図。
【図１４】同顕微鏡の光学素子切換装置の正面図。
【図１５】本発明に係る顕微鏡の光学素子切換装置の第６の実施の形態を示す側面断面図。
【図１６】同顕微鏡の光学素子切換装置の上面図。
【図１７】本発明に係る顕微鏡の光学素子切換装置の第７の実施の形態における位置決め動作を示す側面断面図。
【図１８】同顕微鏡の光学素子切換装置における位置決め動作を解除したときの側面断面図。
【図１９】同顕微鏡の光学素子切換装置における上面図。
【図２０】同顕微鏡の光学素子切換装置の詳細図。
【符号の説明】
【０１７７】
１：アーム部、２：落射投光装置、３：光源、４：照明光、５：光学部材、６：光学素子切換装置、７：光学素子ユニット、８：光学素子（ハーフミラー）、９：レボルバ、１０：対物レンズ、１１：ステージ、１２：標本、１４：鏡筒部、１５：接眼レンズ、２０：落射投光装置、２１ａ，２１ｂ：光学素子ユニット、２２：保持部、２３：案内部、２４：外枠、２５，２７：スライドオスアリ、２６，２８：取付け孔、２９ａ〜２９ｃ：スライドメスアリ、３０ａ〜３０ｃ：位置決め部、３１ａ〜３１ｃ：ネジ穴、３２ａ，３２ｃ：被規制部材、３３ａ，３３ｃ：溝、３４ａ，３４ｃ：ビス、３５ａ，３５ｃ：ビス穴、３６：操作つまみ、４０：スライドオスアリ、４１：スライドメスアリ、４２ａ〜４２ｃ：位置決め用の溝、４３：ボールプランジャ、４４ａ，４４ｂ：突起部、４５ａ，４５ｃ：規制部、４６ａ，４６ｃ：被規制部材の側面、４９ａ，４９ｃ：規制部の側面、５０：光学素子切換装置、５１：保持部、５２：軸、５３ａ〜５３ｃ：スライドメスアリ、５４ａ〜５４ｃ：溝、５５ａ〜５５ｃ：被規制部材、５６ａ〜５６ｃ，５９：ビス、５７：摺動穴、５８：支持部材、６０ａ，６０ｂ：規制部、６１ａ，６１ｂ：被規制部材の端面、６２ｂ：規制部の端部、６３：被規制部材の側面、６４ｂ，６４ｃ：規制部の端部、６５ａ：被規制部材の側面、６５ｂ：被規制部材の側面、７０：光学素子切換装置、７１：被規制部材、７２：開口部、７３：第１の突起、７４：第２の突起、７５：突出部、７６：コイルバネ、７７：突起部、８０：規制部、８１，８２：軸部材、８３：操作つまみ、８４：止め部材、８５：取付け部、８６，８７：規制部材、８８，８９：支持部、９０，９１：摺動穴、９２：操作つまみの一端面、９３：ホールプランジャ、９４，９５：溝、１００：光学素子切換装置、１０１：位置決め手段、１０２：位置決め案内部、１０３ａ〜１０３ｃ：被位置決め部、１０４ａ〜１０４ｃ：被位置決め部材、１０５ａ〜１０５ｃ：突起部、１０６ａ〜１０６ｃ：ビス、１０７ａ〜１０７ｃ：ビス孔、１１０：位置決め案内部材、１１１：ビス、１１２：案内凹部、１１２ａ，１１２ｂ：案内板部、１０１：位置決め手段、１０２：位置決め案内部、１０３：被位置決め部、１０４ａ〜１０４ｃ：被位置決め部材、１０５ａ〜１０５ｃ：突起部、１０６ａ〜１０６ｃ：ビス、１０７：ビス孔、１１０：位置決め案内部、１１１：位置決め案内部材、１１２：ビス、１１３：案内凹部、１１４ａ，１１４ｂ：案内板部、２００：光学素子切換装置、２０１：位置決め手段、１０３ａ〜１０３ｃ：被位置決め部、７５０：軸、３０２ａ〜３０２ｃ：位置決め部材、３０３ａ〜３０３ｃ：ねじりコイルバネ、３０４ａ，３０５ａ：突出部、３０６：摺動穴、，７２ａ〜７２ｃ：開口部、７３ａ〜７３ｃ：第１の突起、７４ａ〜７４ｃ：第２の突起。
【図１】
2005099786.tif 000003
【図２】
2005099786.tif 000004
【図３】
2005099786.tif 000005
【図４】
2005099786.tif 000006
【図５】
2005099786.tif 000007
【図６】
2005099786.tif 000008
【図７】
2005099786.tif 000009
【図８】
2005099786.tif 000010
【図９】
2005099786.tif 000011
【図１０】
2005099786.tif 000012
【図１１】
2005099786.tif 000013
【図１２】
2005099786.tif 000014
【図１３】
2005099786.tif 000015
【図１４】
2005099786.tif 000016
【図１５】
2005099786.tif 000017
【図１６】
2005099786.tif 000018
【図１７】
2005099786.tif 000019
【図１８】
2005099786.tif 000020
【図１９】
2005099786.tif 000021
【図２０】
2005099786.tif 000022